【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
画像を形成する画像形成手段と、
前記画像形成手段により形成された測定用画像を測定する測定手段と、
前記画像形成手段に、第１測定用画像、第２測定用画像、第３測定用画像、及び第４測定用画像を含む複数の測定用画像を形成させ、前記測定手段に前記複数の測定用画像を測定させる制御手段と、
前記画像形成手段により形成される前記画像の濃度を調整するための制御値を、前記複数の測定用画像の測定結果に基づいて決定する決定手段と、を有し、
前記第１測定用画像に対応する第１制御値の絶対値は、前記第２測定用画像に対応する第２制御値の絶対値より大きく、
前記第２制御値の絶対値は、前記第３測定用画像に対応する第３制御値の絶対値より大きく、
前記第３制御値の絶対値は、前記第４測定用画像に対応する第４制御値の絶対値より大きく、
前記決定手段は、前記第１測定用画像の濃度が目標濃度より高く、前記第２測定用画像の濃度が前記目標濃度より高く、前記第３測定用画像の濃度が前記目標濃度より低く、前記第４測定用画像の濃度が前記第３測定用画像の濃度より低く、且つ、前記第１測定用画像の濃度が前記第２測定用画像の濃度より低い場合には、前記第１測定用画像の測定結果と前記第２測定用画像の測定結果とを用いずに、前記第３測定用画像の測定結果と前記第４測定用画像の測定結果とに基づいて前記制御値を決定することを特徴とする画像形成装置。
【請求項２】
前記決定手段は、前記第１測定用画像の濃度が前記第２測定用画像の濃度より高い場合には、前記第１測定用画像の測定結果を用いずに、前記第２測定用画像の測定結果と前記第３測定用画像の測定結果とに基づいて前記制御値を決定することを特徴とする請求項１に記載の画像形成装置。
【請求項３】
前記決定手段は、さらに、前記第２測定用画像の測定結果、前記第２制御値、前記第３測定用画像の測定結果、及び前記第３制御値を内挿演算することによって、前記制御値を決定することを特徴とする請求項２に記載の画像形成装置。
【請求項４】
前記決定手段は、さらに、前記第３測定用画像の測定結果、前記第３制御値、前記第４測定用画像の測定結果、及び前記第４制御値を外挿演算することによって、前記制御値を決定することを特徴とする請求項１に記載の画像形成装置。
【請求項５】
前記画像形成手段は、
感光体と、
前記感光体を帯電する帯電手段と、
静電潜像を形成するために、前記帯電された前記感光体をレーザ光によって露光する露光手段と、
前記感光体上の前記静電潜像をトナーを用いて現像する現像手段と
を有し、
前記制御値は、前記露光手段の前記レーザ光の強度を制御するための制御値であることを特徴とする請求項１乃至４のいずれか一項に記載の画像形成装置。
【請求項６】
前記画像形成手段は、
感光体と、
電圧が印加され、前記感光体を帯電する帯電手段と、
静電潜像を形成するために、前記帯電された前記感光体を露光する露光手段と、
前記感光体上の前記静電潜像をトナーを用いて現像する現像手段と
を有し、
前記制御値は、前記帯電手段に印加される電圧を制御するための制御値であることを特徴とする請求項１乃至４のいずれか一項に記載の画像形成装置。
【請求項７】
前記画像形成手段は、
感光体と、
前記感光体を帯電する帯電手段と、
静電潜像を形成するために、前記帯電された前記感光体を露光する露光手段と、
電圧が印加され、前記感光体上の前記静電潜像をトナーを用いて現像する現像手段と
を有し、
前記制御値は、前記現像手段に印加される電圧を制御するための制御値であることを特徴とする請求項１乃至４のいずれか一項に記載の画像形成装置。
【請求項８】
前記測定手段は、シートに形成された画像を読み取る読取装置であることを特徴とする請求項１乃至７のいずれか一項に記載の画像形成装置。
【手続補正２】
【補正対象書類名】明細書
【補正対象項目名】０００６
【補正方法】変更
【補正の内容】
【０００６】
本発明は、
画像を形成する画像形成手段と、
前記画像形成手段により形成された測定用画像を測定する測定手段と、
前記画像形成手段に、第１測定用画像、第２測定用画像、第３測定用画像、及び第４測定用画像を含む複数の測定用画像を形成させ、前記測定手段に前記複数の測定用画像を測定させる制御手段と、
前記画像形成手段により形成される前記画像の濃度を調整するための制御値を、前記複数の測定用画像の測定結果に基づいて決定する決定手段と、を有し、
前記第１測定用画像に対応する第１制御値の絶対値は、前記第２測定用画像に対応する第２制御値の絶対値より大きく、
前記第２制御値の絶対値は、前記第３測定用画像に対応する第３制御値の絶対値より大きく、
前記第３制御値の絶対値は、前記第４測定用画像に対応する第４制御値の絶対値より大きく、
前記決定手段は、前記第１測定用画像の濃度が目標濃度より高く、前記第２測定用画像の濃度が前記目標濃度より高く、前記第３測定用画像の濃度が前記目標濃度より低く、前記第４測定用画像の濃度が前記第３測定用画像の濃度より低く、且つ、前記第１測定用画像の濃度が前記第２測定用画像の濃度より低い場合には、前記第１測定用画像の測定結果と前記第２測定用画像の測定結果とを用いずに、前記第３測定用画像の測定結果と前記第４測定用画像の測定結果とに基づいて前記制御値を決定することを特徴とする画像形成装置を提供する。
【手続補正３】
【補正対象書類名】明細書
【補正対象項目名】００１２
【補正方法】変更
【補正の内容】
【００１２】
画像形成部には、像担持体として円筒型の感光体である感光ドラム１が設けられている。感光ドラム１は矢印Ｒ１の方向に回転する。感光ドラム１の表面は、帯電手段としての帯電ローラ２によって一様の電位に帯電する。高圧ドライバ４２は帯電ローラ２に所定の帯電電圧を供給する。露光手段としてのレーザービームスキャナ３は、レーザードライバ４１によって光量を制御されながら光ビームを感光ドラム１の表面に照射し、静電潜像を形成する。現像手段としての現像器４は、高圧ドライバ４２から所定の現像電圧を供給され、トナーを静電潜像に付着させて、トナー像（可視像）へ現像する。トナー像は、一次転写ローラ６によって中間転写ベルト５１に一次転写される。一次転写されずに残ったトナーはクリーニング手段としてのクリーニング装置７によって感光ドラム１の表面から除去される。中間転写ベルト５１に形成されたトナー像は、二次転写ローラ対（内ローラ７１と外ローラ７２）によってシートに二次転写される。シートに二次転写されたトナー像は定着装置８０によってシート上に定着する。
【手続補正４】
【補正対象書類名】明細書
【補正対象項目名】００２０
【補正方法】変更
【補正の内容】
【００２０】
プリンタ部１０から出力されたシートＳのパターン４００は、原稿台２２に載置され、リーダ部２０によって読み取られる。リーダ部２０の輝度濃度変換部２０１は、各パターンの輝度値を対応する濃度値に変換し、プリンタ制御部４０に出力する。
【手続補正５】
【補正対象書類名】明細書
【補正対象項目名】００５２
【補正方法】変更
【補正の内容】
【００５２】
＜実施例３＞
実施例３では、レーザーパワー設定値と暗部電位を固定しつつ、現像電位を可変させて、目標濃度値を達成可能な現像電位を決定する。現像電位設定部２１３が、現像スリーブに印加する現像電圧をｎ段階にわたって変化させることで、プリンタ部１０は、それぞれ濃度の異なるｎ個のパターンをシート上に形成する。
【手続補正６】
【補正対象書類名】明細書
【補正対象項目名】００５６
【補正方法】変更
【補正の内容】
【００５６】
Ｓ１４０５で、濃度補正部２１０は濃度値Ｄ（ｍ＋１）が濃度値Ｄ（ｍ）よりも高いかどうかを判定する。濃度値Ｄ（ｍ＋１）は、濃度値Ｄ（ｍ）に対応した現像電位Ｖｄ（ｍ）よりも一段階上の現像電位Ｖｄ（ｍ＋１）に対応した濃度値である。濃度値Ｄ（ｍ＋１）が濃度値Ｄ（ｍ）よりも高ければ、Ｓ１４０６に進む。これは上述したケース（ａ）に相当する。Ｓ１４０６で、濃度補正部２１０は濃度値Ｄ（ｍ−１）と濃度値Ｄ（ｍ）を用いて線形補間を行い、目標濃度値に対応した現像電位Ｖｄｓｅｔを決定する。濃度値Ｄ（ｍ−１）は、濃度値Ｄ（ｍ）に対応した現像電位Ｖｄ（ｍ）よりも一段階下の現像電位Ｖｄ（ｍ−１）に対応した濃度値である。
【手続補正７】
【補正対象書類名】明細書
【補正対象項目名】００５８
【補正方法】変更
【補正の内容】
【００５８】
Ｓ１４０４において目標濃度値を超える濃度値Ｄ（ｍ）が存在しない場合、Ｓ１４０８に進む。このケースはケース（ｃ）に相当する。Ｓ１４０８で、濃度補正部２１０はｎ個の濃度値Ｄ（１）〜Ｄ（ｎ）のうちで単調増加から減少に転じる濃度値Ｄ（ｍ）とＤ（ｍ＋１）を判別する。Ｓ１４０９で、濃度補正部２１０は濃度値Ｄ（ｍ−１）と濃度値Ｄ（ｍ）を用いて線形補間を行い、目標濃度値に対応した現像電位Ｖｄｓｅｔを決定する。濃度値Ｄ（ｍ−１）は、濃度値Ｄ（ｍ）に対応した現像電位Ｖｄ（ｍ）よりも一段階下の現像電位Ｖｄ（ｍ−１）に対応した濃度値である。
【手続補正８】
【補正対象書類名】図面
【補正対象項目名】図１４
【補正方法】変更
【補正の内容】
【図１４】
2015041015.tif 000001